【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
ユーザにより入力された検索条件に従って、複数の記憶装置に記憶されている文書から少なくとも１つの文書を検索する文書検索システムであって、
特定の検索条件で検索した場合にヒットする文書の数を、前記複数の記憶装置のそれぞれを区別して管理する管理手段と、
検索条件を入力する入力手段と、
前記複数の記憶装置のうち検索対象とする記憶装置を複数選択する選択手段と、
前記選択手段により選択された複数の記憶装置において前記入力された検索条件に基づく検索を実行した場合にヒットする文書の合計数が所定の数よりも多いか否かを、当該検索を実行する前に判定する判定手段と、
前記判定手段による判定の結果、前記選択手段により選択された複数の記憶装置において前記入力された検索条件に基づく検索を実行した場合にヒットする文書の合計数が前記所定の数よりも多いと判定された場合に、当該検索の実行を制限する制御手段と、
を備えることを特徴とする文書検索システム。
【請求項２】
前記複数の記憶装置は、ネットワークを介して接続された文書管理サーバであって、
前記選択手段により選択された複数の記憶装置に対して、前記入力された検索条件に従った検索の実行を要求する要求手段を更に備えることを特徴とする請求項１に記載の文書検索システム。
【請求項３】
前記入力手段により入力される検索条件は、少なくとも前記記憶装置に記憶された文書に含まれる文字列、または該文字列の組み合わせを示す論理式を含むことを特徴とする請求項１または２に記載の文書検索システム。
【請求項４】
前記判定手段による判定の結果、前記選択手段により選択された複数の記憶装置において前記入力された検索条件に基づく検索を実行した場合にヒットする文書の合計数が前記所定の数よりも多いと判定された場合に、前記制御手段は、当該検索の実行を禁止することを特徴とする請求項１から３のいずれか１項に記載の文書検索システム。
【請求項５】
前記判定手段による判定の結果、前記選択手段により選択された複数の記憶装置において前記入力された検索条件に基づく検索を実行した場合にヒットする文書の合計数が前記所定の数よりも多いと判定された場合に、前記制御手段は、当該検索を実行すべきでない旨をユーザに通知するための画面を表示手段に表示させることを特徴とする請求項１から４のいずれか１項に記載の文書検索システム。
【請求項６】
前記判定手段による判定の結果、前記選択手段により選択された複数の記憶装置において前記入力された検索条件に基づく検索を実行した場合にヒットする文書の合計数が前記所定の数よりも多いと判定された場合に、前記制御手段は、前記入力手段により入力された検索条件を編集するための画面を表示手段に表示させることを特徴とする請求項１から５のいずれか１項に記載の文書検索システム。
【請求項７】
第１の値、及び当該第１の値よりも小さい第２の値を設定する設定手段を更に備え、
前記制御手段は、前記選択手段により選択された複数の記憶装置において前記入力された検索条件に基づく検索を実行した場合にヒットする文書の合計数が前記第１の値よりも大きいと判定した場合は当該検索の実行を禁止し、前記選択手段により選択された複数の記憶装置において前記入力された検索条件に基づく検索を実行した場合にヒットする文書の合計数が前記第１の値よりも小さく且つ前記第２の値よりも大きいと判定した場合は当該検索を実行すべきでない旨をユーザに通知するための画面を表示手段に表示させることを特徴とする請求項１から６のいずれか１項に記載の文書検索システム。
【請求項８】
前記管理手段が管理する情報のうち、当該管理手段による管理を開始してから特定の期間が経過した情報を更新する更新手段を更に備えることを特徴とする請求項１から７のいずれか１項に記載の文書検索システム。
【請求項９】
前記更新手段は、前記複数の記憶装置に記憶されている文書の総数に基づいて、前記管理手段が管理する情報を更新することを特徴とする請求項１から８のいずれか１項に記載の文書検索システム。
【請求項１０】
ユーザにより入力された検索条件に従って、複数の記憶装置に記憶されている文書から少なくとも１つの文書を検索する文書検索方法あって、
特定の検索条件で検索した場合にヒットする文書の数を、前記複数の記憶装置のそれぞれを区別して管理する管理工程と、
検索条件を入力する入力工程と、
前記複数の記憶装置のうち検索対象とする記憶装置を複数選択する選択工程と、
前記選択工程で選択された複数の記憶装置において前記入力された検索条件に基づく検索を実行した場合にヒットする文書の合計数が所定の数よりも多いか否かを、当該検索を実行する前に判定する判定工程と、
前記判定工程における判定の結果、前記選択工程で選択された複数の記憶装置において前記入力された検索条件に基づく検索を実行した場合にヒットする文書の合計数が前記所定の数よりも多いと判定された場合に、当該検索の実行を制限する制御工程と、
を備えることを特徴とする文書検索方法。
【請求項１１】
請求項１０に記載の文書検索方法をコンピュータに実行させるためのプログラム。
【手続補正２】
【補正対象書類名】明細書
【補正対象項目名】発明の名称
【補正方法】変更
【補正の内容】
【発明の名称】文書検索システム、文書検索方法、及びプログラム
【手続補正３】
【補正対象書類名】明細書
【補正対象項目名】０００９
【補正方法】変更
【補正の内容】
【０００９】
上記目的を達成するために本発明の文書検索システムは、ユーザにより入力された検索条件に従って、複数の記憶装置に記憶されている文書から少なくとも１つの文書を検索する文書検索システムであって、特定の検索条件で検索した場合にヒットする文書の数を、前記複数の記憶装置のそれぞれを区別して管理する管理手段と、検索条件を入力する入力手段と、前記複数の記憶装置のうち検索対象とする記憶装置を複数選択する選択手段と、前記選択手段により選択された複数の記憶装置において前記入力された検索条件に基づく検索を実行した場合にヒットする文書の合計数が所定の数よりも多いか否かを、当該検索を実行する前に判定する判定手段と、前記判定手段による判定の結果、前記選択手段により選択された複数の記憶装置において前記入力された検索条件に基づく検索を実行した場合にヒットする文書の合計数が前記所定の数よりも多いと判定された場合に、当該検索の実行を制限する制御手段と、を備えることを特徴とする。
【手続補正４】
【補正対象書類名】明細書
【補正対象項目名】００１０
【補正方法】変更
【補正の内容】
【００１０】
また、本発明の文書検索方法は、ユーザにより入力された検索条件に従って、複数の記憶装置に記憶されている文書から少なくとも１つの文書を検索する文書検索方法あって、特定の検索条件で検索した場合にヒットする文書の数を、前記複数の記憶装置のそれぞれを区別して管理する管理工程と、検索条件を入力する入力工程と、前記複数の記憶装置のうち検索対象とする記憶装置を複数選択する選択工程と、前記選択工程で選択された複数の記憶装置において前記入力された検索条件に基づく検索を実行した場合にヒットする文書の合計数が所定の数よりも多いか否かを、当該検索を実行する前に判定する判定工程と、前記判定工程における判定の結果、前記選択工程で選択された複数の記憶装置において前記入力された検索条件に基づく検索を実行した場合にヒットする文書の合計数が前記所定の数よりも多いと判定された場合に、当該検索の実行を制限する制御工程と、を備えることを特徴とする。